Podtech/llm-jp-corpus-v4-ja_patent huggingface dataset:
(57)【要約】【課題】  長尺面状体を多数層円筒状に巻き上げる際に使用する芯材は、使用後嵩高で処理に多くの費用を要するので、容易に平面体に解体復元できる円筒状巻物用芯材を提供する。【解決手段】  芯材の表面に多数の突起と結合部を設けることを特徴とする。【選択図】図２
2012153528.tif 000002
【特許請求の範囲】
【請求項１】
片面若しくは両面に多数の突起を有する柔軟なシートであって、両端に結合部を有し、該結合部同士を結合させて円筒状に組み立てることのできることを特徴とする円筒状巻物用芯材。
【請求項２】
結合部を解除することによって容易に平面体に戻すことができることを特徴とする〔請求項１〕に記載する芯材。
【発明の詳細な説明】
【技術分野】
【０００１】  本発明は長尺面状体を多数層円筒状巻物に構成する際に使用される芯材に関するものである。
【背景技術】
【０００２】  従来紙、樹脂シート、繊維布帛、金属シート等の長尺面状態を多数層円筒状に巻き上げる際に用いられる芯材は、紙等を多数層に重ね巻きして接着処理をした紙管、若しくは合成樹脂などを円筒状に成形したボビン、パイプなどの筒状体が用いられてきた。
【発明の概要】
【発明が解決しようとする課題】
【０００３】  芯材は長尺面状体を多数層巻上げられた後、使用され長尺面状体が除去されると、無用のものとして回収再利用されるか、廃棄されるものである。しかしながら芯材は使用前の円筒状のままであり嵩高く、保管場所や再利用や廃棄場までの移送など嵩高故に多くの費用が発生し課題であった。
【課題を解決するための手段】
【０００４】  本発明はこの課題を解決するために、使用後は容易に解体でき、容積を圧縮することができる芯材を提供する。【０００５】  本発明による芯材は、芯材を構成するシート体の片面若しくは両面に多数の突起を有している。これらの突起はシート曲げに対する抵抗を増し、薄層であっても芯材の圧縮強度の増加に寄与し、つぶれ難い芯材を実現する。【０００６】  本発明による芯材は、構成するシートの両端に結合部を有し、その結合によってシートを円筒状に組み立てることができる。該結合部は芯材の嵩を増大させないことが望ましい。〔図４〕に挙例するように芯材構成シートの一部をはめ合わせて結合部とすれば結合による芯材嵩高さはほとんど増加しない。
【発明の効果】
【０００７】  本発明による芯材は、巻かれている長尺面状体が除去された後、接合部を開放して平面体に戻すとその容積は著しく圧縮され小さくなり、保管や移送の費用を軽減することができる。また表面の突起は芯材を補強し、円筒の側圧や曲げによる破損に対する抵抗性が増大し、芯材により多層の面状体を巻くことが可能となる。
【図面の簡単な説明】
【０００８】
【図１】  芯材に長尺面状体を多数層巻いた状態を示す図である。
【図２】  本発明の芯材の一例を示す図である。
【図３】  本発明の芯材の他の一例を示す図である。
【図４】  本発明の芯材におけ結合部の一例を示す図である。
【発明を実施するための形態】
【０００９】  以下、本発明を実施するための形態について説明する。
本発明の芯材は〔図２〕に示す様に、芯材の表面，若しくは表裏両面に多数の円柱，角柱などの形状の突起を有している。また芯材の長手方向にほぼ平行な結合部を有している。多数の突起の高さは、芯材の円周方向にほぼ直角に２〜２０ｍｍ程度が補強効果、円筒成形作業などの点で効果的であるが、巻きつける長尺面状体の性質などによってはこの限りでない。芯材の材質は、合成樹脂、金属シート、繊維、紙、ゴム等が可能であるが、中でも熱可塑性合成樹脂シートは、多数突起を形成する面で適している。芯材の結合部は、芯材として使用後解体して平面に復元するために、容易に解体できることが望ましい。〔図４〕は結合部の一例を示す。容易に結合を解くことができる方法である。
本発明の他の実施の形態について説明する。〔図３〕に示すように芯材には、芯材の長手方向と平行な方向に畦状の突起を多数本有している。この突起によって芯材は長手方向に撓み難くなり、円筒の破損にも抵抗力が高まる。また設けてある結合部を解体して容易に平面体に復元する。
【符号の説明】
【００１０】  １  芯材
２  多数層の長尺面状体
３  突起
４  結合部
【図１】
2012153528.tif 000003
【図２】
2012153528.tif 000004
【図３】
2012153528.tif 000005
【図４】
2012153528.tif 000006
(57)【要約】【課題】コーニファイドエンベロープの成熟化を促進する促進剤の提供を目的とする。【解決手段】コーニファイドエンベロープ成熟促進剤は、アスタキサンチンを含有する。  アスタキサンチンを含有するヘマトコッカス藻抽出物を用いてもよい。【選択図】  なし【特許請求の範囲】
【請求項１】
アスタキサンチンを含有するコーニファイドエンベロープ成熟促進剤。
【請求項２】
ヘマトコッカス藻抽出物を含有するコーニファイドエンベロープ成熟促進剤。
【発明の詳細な説明】
【技術分野】
【０００１】
本発明は、皮膚の角層を構成するコーニファイドエンベロープ（角質肥厚膜：ｃｏｒｎｉｆｉｅｄ  ｅｎｖｅｌｏｐｅ）の成熟化を促進する促進剤に係る。
【背景技術】
【０００２】
皮膚の角層は表皮角化細胞が終末分化して形成された角質細胞と、それをとりまく細胞間脂質で構成されている。
細胞間脂質はセラミド、コレステロール、脂肪酸等を成分としたラメラ構造を組織し、角質細胞はケラチン線維を主成分とし、それを包むコーニファイドエンベロープ（以下、必要に応じてＣＥと略称する。）とからなる。
このコーニファイドエンベロープは、角層が正常に機能するのに重要な役割を有し、肌の状態を健康で美しく保つのにＣＥの成熟化を促進することが重要となる。
【０００３】
特許文献１はＣＥの成熟促進にイミダゾリジノン誘導体が大きく寄与している旨、開示する。
イミダゾリジノン誘導体は、副作用の有無については必ずしも明確になっていない。
【先行技術文献】
【特許文献】
【０００４】
【特許文献１】特開２００８−３０３１８７号公報
【発明の概要】
【発明が解決しようとする課題】
【０００５】
本発明は、コーニファイドエンベロープの成熟化を促進する促進剤の提供を目的とする。
【課題を解決するための手段】
【０００６】
本発明に係るコーニファイドエンベロープの成熟化を促進する促進剤は、アスタキサンチンを含有することを特徴とする。
また、ヘマトコッカス藻由来のアスタキサンチンを用い、ヘマトコッカス藻抽出物を有するコーニファイドエンベロープ成熟促進剤としてもよい。
アスタキサンチンは、キサントフィル類に分類されるカロテノイドの一種である。
ＩＵＰＡＣ名は、３，３’−ジヒドロキシ−β，βカロテン−４、４’ジオンであり、３及び３’位のヒドロキシ基の位置により（３Ｒ，３’Ｒ）体、（３Ｒ，３’Ｓ）体（メソ体）、（３Ｓ，３’Ｓ）体の三種が存在し、共役二重結合のシス−トランスによる異性体を有する。
本発明では、いずれのアスタキサンチンを用いても良い。
また、遊離型、モノエステル型、ジエステル型として存在可能である。
天然物由来のものとしては、例えば、緑藻ヘマトコッカスなどの微細藻類、赤色酵母フ
ァフィアなどの酵母類、エビ、オキアミ、カニ、ミジンコなどの節足動物類の甲殻、イカ
、タコなどの軟体動物類の内臓や生殖巣、種々の魚介類の皮、ナツザキフクジュソウなど
のフクジュソウ属の花弁、Ｐａｒａｃｏｃｃｕｓ  ｓｐ．  Ｎ８１１０６、Ｂｒｅｖｕｎ
ｄｉｍｏｎａｓ  ｓｐ．  ＳＤ２１２、Ｅｒｙｔｈｒｏｂａｃｔｅｒ  ｓｐ．  ＰＣ６な
どのα−プロテオバクテリア類、Ｇｏｒｄｏｎｉａ  ｓｐ．  ＫＡＮＭＯＮＫＡＺ−１１
２９などのゴードニア属、Ｓｃｈｉｚｏｃｈｙｔｒｉｕｙｍ  ｓｐ．  ＫＨ１０５などの
ラビリンチュラ類（特にヤブレツボカビ科）やアスタキサンチン産生遺伝子組み換え生物
体などから得られるものをあげることができる。
また、本発明に係るアスタキサンチン含有ＣＥ成熟促進剤は、外用剤として用いることができる。
外用剤の形態には、医薬品用の皮膚外用剤や化粧品の形態を含み、特に限定されず、例えば、乳液、クリーム、化粧水、パック、分散液、洗浄料、メーキャップ化粧料、頭皮・毛髪用品等の化粧品や、軟膏剤、クリーム剤、外用液剤等の医薬品などとすることができる。
また、通常化粧品や医薬品等の皮膚外用剤に用いられる成分、例えば、美白剤、保湿剤、各種皮膚栄養成分、紫外線吸収剤、酸化防止剤、油性成分、界面活性剤、増粘剤、アルコール類、色剤、水、防腐剤、香料等を必要に応じて適宜配合することができる。
【発明の効果】
【０００７】
本発明者らは、初めてアスタキサンチンがコーニファイドエンベロープの成熟化を促進することを明らかにしたものであり、これにより角層の機能が向上し、肌の状態の改善及び正常化に寄与する。
【発明を実施するための形態】
【０００８】
本発明者らは、コーニファイドエンベロープの成熟化について評価試験を実施したので以下、説明する。
なお、コーニファイドエンベロープの評価は、特許第３８７８７８７号に記載の方法を取り入れて実施した。
【０００９】
＜角層サンプルの採取＞
５名の被験者の左右前腕内側に対して３０回の連続したテープストリッピングを行い、荒れ肌を作成した。
右腕荒れ肌部位に対しては、表１に示す実施例の外用剤を朝晩２回塗布させ、左腕荒れ肌部位に対しては、表１に示す比較例の外用剤を朝晩２回塗布させた。
表１に示すヘマトコッカス藻抽出物には、アスタキサンチンが約１１％含まれている。
また、トリ（カプリル・カプリン酸）グリセリルはオイル状成分であり、アスタキサンチンの希釈安定剤として加え、比較例１にはヘマトコッカス藻抽出物の添加に対するコントロールであることを考慮して配合率を決定した。
４週間に渡って外用剤を連用させた後、テープストリッピングにより当該部位の角層第一層目を採取した。これにより採取された角層を用いて、コーニファイドエンベロープ（以下、ＣＥ）の成熟度を評価した。
【００１０】
【表１】
2012153637.tif 000002
【００１１】
＜ＣＥの調整＞
（１） 角層が付着したテープを細切し、溶出液（ジチオスレイトール、ドデシル硫酸ナトリウムを含むトリス塩酸緩衝液）を加え、１００℃で１０分間加熱した。
（２） テープ基材を残して分散液を採取し、４０００ｇ、１０分間の遠心分離を行った。
（３） 上清を捨て、不溶物に溶出液を加え、１００℃で１０分間の加熱と４０００ｇ、１０分間の遠心を行った。
（４） （３）に記す作業を２回繰り返して可溶性画分を完全に除去し、得た不溶物をＣＥとした。
＜ＣＥの染色と評価＞
（１） コーニファイドエンベロープをスライドグラスに滴下し、風乾させた後、冷アセトン中で固定した。
（２） リン酸緩衝生理食塩液にて水和した後、抗ヒトインボルクリン抗体（ＮＯＶＯＣＡＳＴＲＡ社）を１次抗体として反応させた。
余剰の抗体を洗浄除去した後、ＦＩＴＣ標識抗マウスイムノグロブリン抗体を２次抗体として反応させた。
（３） 洗浄後、ＮｉｌｅＲｅｄ染色液を反応させた。
（４） 染色したＣＥの蛍光顕微鏡観察画像を画像処理ソフト（ImageJ：National Institute of Health）により解析し、ＣＥ全面積中の、未成熟ＣＥの割合を下式により算出した。
未成熟ＣＥの割合（％）＝インボルクリン陽性ＣＥ面積／（インボルクリン陽性ＣＥ面積＋ＮｉｌｅＲｅｄ陽性ＣＥ面積）
【００１２】
比較評価した結果を下記、表２に示す。
【表２】
2012153637.tif 000003
【００１３】
実施例１は比較例１よりも未成熟ＣＥの割合が１２．６％も少なく、アスタキサンチンがＣＥの成熟化に大きく作用していることが明らかになった。
(57)【要約】【課題】      電動機、発電機の巻線において、コイルとコイルの間を結ぶ渡り線を切断せずに絶縁体チューブを挿入し、巻き線機の稼動を止めることなく多層コイルを仕上げる工法である。【解決手段】  多層コイルの渡り線に絶縁体チューブを挿入する際に、予め必要な絶縁体チューブの長さと本数を図１のＢ部にセットし、多層コイルの巻き始め線をこれらの絶縁体チューブに通し、分離ユニットを介してこの巻き始め線を巻き型にセットしコイルを巻くが、渡り線部が分離ユニットを通過する時に挟み板が開いて絶縁体チューブ１本を通過させ、機械を止めることなく多層コイルを仕上げる工法である。【選択図】図１
2012055136.tif 000002
【特許請求の範囲】
【請求項１】
電動機、発電機の巻線において、コイルとコイルの間を結ぶ渡り線は切断せずに絶縁体を巻くか、又は渡り線を切断して絶縁体チューブを挿入し結合するかの方法であるが、当工法は渡り線を切断せずに絶縁体チューブを挿入し生産性向上を図る巻線工法である。
【請求項２】
当工法は、連続してコイルを巻き線し、その中間にチューブ等を挿入する全ての工法に適用する。
【発明の詳細な説明】
【技術分野】
【０００１】
電動機、発電機等のコイル巻線機において、コイルとコイルの間を結ぶ渡り線を切断せずに円筒状の絶縁体チューブを自動で挿入し、生産性向上を図る巻線工法に関するものである。
【背景技術】
【０００２】
従来は、電動機、発電機等のコイル巻線機において、コイルとコイル間を結ぶ渡り線は切断せずに多重のコイルを仕上げて鉄心に組み込みその後渡り線に絶縁体を巻くか、又は単コイルを作り鉄心に組み込んだ後隣接するコイルの渡り線に円筒状の絶縁体チューブをそれぞれに挿入して渡り線を結合する工法を取っている。
【０００３】
上記工法を取る為に、後工程として絶縁体を巻く工程又は、コイルの渡り線に円筒状の絶縁体チューブをそれぞれに挿入して渡り線を結合する工程又は、シリコン等の接着剤を塗布し絶縁体を構成する工程が発生し、しかもこれらの工程は人手による作業となり、製作コストが高く付く。
【０００４】
又、上記工法のうちコイルの渡り線に円筒状の絶縁体チューブをそれぞれに挿入して渡り線を結合する工法では、線を切断するため結合程度により品質の信頼性に不安が残った。
【先行技術文献】
【特許文献】
【０００５】
特許文献を調査したが、下記の渡り線に関するものがある。
特開2008-295213（P2008-295213A）
【発明の概要】
【発明が解決しようとする課題】
【０００６】
上記巻線機にて、多層巻きの自動設備は多くの種類があるが、何れも渡り線には絶縁体の処置を施す設備は無く、設備で渡り線を切断し後処理するか、切断しないで後工程で絶縁体であるテープを巻くか又は、シリコンなどの接着剤を塗布し絶縁体を構成するかの処理が必要である。
【０００７】
品質の信頼性としては、この渡り線を切断しないままの状態で絶縁体を巻く方法であったが、この工法を取ると、絶縁体テープを巻き終わるまで巻き線機を一時停止しなければならない為、巻き線機の生産能力を著しく低下させることになる。又その装置も大掛かりなものになり且つ設備費も高くなり、コストアップの要因にもなる。
【０００８】
そこで本発明者は、事前に渡り線の必要な絶縁体チューブの長さを設定し、巻線の初めの端部を絶縁体チューブに通し一定の間隔で絶縁体チューブを切断し次のコイルを巻く事を考案し、設備の生産能力を落とすことなく、廉価な設備費で省力化することに着眼して本発明に至った。
【０００９】
本発明は、上記を鑑みてなされたものであり、その目的とするところは巻線コイルの品質を損なうことなく、渡り線を切断せずに絶縁体チューブを挿入することを目的としている。
【課題を解決するための手段】
【００１０】
上記の目的を達成する為に、本発明は、次のように構成されている。
【００１１】
請求項１に記載の発明は、多層コイルを製作するにあたり、必要な渡り線の長さと数を計算し、その渡り線に必要な絶縁体チューブの長さと数を準備し、コイルを通して図１のＢ部にセットし、巻き型にてコイルを巻くが、渡り線部分で自動的に絶縁体チューブを１個ずつ入れていくので機械稼動を止めることなく生産できる事を特徴とする工法である。
【００１２】
又、請求項１に記載の発明は、絶縁体チューブの長さと数を準備しセットすることで、巻き型の直前にコンパクトで安価なユニットとして取り付けができる事を特徴とするユニットである。
【００１３】
請求項２に記載の発明は、連続するコイルの巻き線に定寸のチューブ等を挿入する工法に適用できる事を特徴とする工法である。
【発明の効果】
【００１４】
上記のように、本発明の工法は、多層コイルの中間に絶縁体チューブを一定間隔で自動挿入できる為、コイル巻き線機の稼動を止めることなく運転できるので、時間当たりの生産数量が安定し、生産効率を上げる事ができる。
【００１５】
その上、本発明ユニットは、安価に出来るために多層コイル１台当たりの設備費が安く、後工程での人件費が不要で多層コイル１台当たりのコストダウンに繋がる。
【発明を実施するための形態】
【００１６】
以下、本発明の実施の形態を図面を用いて説明する。
【００１７】
尚、この実施形態では、渡り線に絶縁体チューブを挿入することを説明するが、本発明はこれに限らず連続するワイヤーの途中に定寸のチューブ等を挿入する工法に適用することができる。
【００１８】
図１は、本発明の実施形態の絶縁体チューブを予め一定の長さと必要な本数を溜めるＢ図を表す部分と絶縁体チューブを必要な時に１本ずつ分離してゆくユニットで構成されている。
【００１９】
多層コイル１台を製作するに当たり、コイルとコイル間を結ぶ渡り線の数とその渡り線の長さを測定し予め絶縁体チューブをその渡り線の数と長さに切断し準備をする。多層コイルの巻き始め線を図１のガイドローラー１とガイドローラー２に通した後、予め準備した絶縁体チューブを通し図１のＢ部に収め、分離ユニットの挟み板に線を通し、順次ガイドローラー３及びガイドローラー４に通し、巻き型に巻き始め線をセットする。
【００２０】
図２は、上記分離ユニットをＡ−Ａ方向からの図であり、挟み板の先端に付けられたフェルトに間に線のみ挟まれた状態を表している。
【００２１】
上記のように、巻型に巻き始め千がセットされたら、分離ユニットの挟み板を渡り線が通過する時に挟み板を開け１本だけ絶縁体チューブを通過させる必要があるが、これはコイルのターン数により巻型の回転数をセットすることで、どのタイミングで挟み板を開けるかを決める事により１本だけの絶縁体チューブを通過させることができる。
【００２２】
これを順次繰り返すことにより、多層コイルの渡り線に絶縁体チューブを挿入し、機械を止めることなく又、線を切断することなく多層コイル１台を仕上げることができる。
【図面の簡単な説明】
【００２３】
【図１】コイル通過ラインと絶縁体チューブ、分離ユニットとの位置関係の正面図である。
【図２】分離ユニットをＡ−Ａ方向から見た側面図である。
【図１】
2012055136.tif 000003
【図２】
2012055136.tif 000004
(57)【要約】      （修正有）【課題】堅牢な刃体に平刃とそれに直列に連続して複数の三角刃を設け、長柄を取り付けた立ち草刈り鎌を提供する。【解決手段】長柄６と長柄先端に装着した刃体１とで構成され、刃体の先端に平刃２を、平刃に直列に三角刃３を複数設ける。また、先端の反対側角には斜めに三角の溝イを設ける。長柄と刃体との取り付け角度は様々な角度が考えられるが、直立姿勢や椅子に座った姿勢で作業する事を考慮すると、９０度から４５度位までが適当である。【選択図】図１
2012055175.tif 000002
【特許請求の範囲】
【請求項１】
半円形または四分円形の刃板前縁側に平刃を、そして平刃と直列に連続して複数の三角刃を設けるが、三角刃と三角刃間の三角溝は、雑草の茎や葉が引っかかる大きさとする。したがって、雑草の根や茎を平刃や三角刃で切ったり、三角溝で抜いたり、刈り取った草を三角刃部分で集める等の機能を持たせた事を特徴とし、長柄を取り付けた草刈り鎌。
【請求項２】
前記複数の三角刃の中、先端平刃に反対位置の角に、刃板湾曲部に向けて斜めに三角の溝を設けたことを特徴とする。請求項１に記載の長柄を取り付けた草刈り立ち鎌。
【発明の詳細な説明】
【技術分野】
【０００１】
本発明は、従来の立ち鎌に、「抜く」「集める」等の機能を付け加えたものである。
【背景技術】
【０００２】
従来庭の花木の下周りの雑草を除去する鎌の一つとして、特許文献１にあるような立ち鎌や、図３に示すような一般的な鎌を使用していたが、文献１のような鎌で雑草を刈り取った後、土と雑草を分別したり、雑草を集めるために、主に鎌の刃先や別に熊手等を使用していた。また、一般的な鎌だと屈んだ姿勢で刈り、他方の手で抜かなければならない。そして両方とも刈った後の草を集めるのに、手で集めたり熊手を使用したりしていた。したがって効率が悪く、身体の疲労も激しかった。一方、芝の間から生えてくる様々な雑草を除去するには、図４のような引き抜き具を用いて、屈む姿勢で行っていたので、疲労が激しく、雑草が絶え間なく生えてくる時期には、除去に間に合わないほどであった。
【先行技術文献】
【特許文献】
【０００３】
【特許文献１】実願平６−１２６９０
【非特許文献】
【０００４】
【非特許文献１】一般的な鎌  図３・４
【発明の概要】
【発明が解決しようとする課題】
【０００５】
特許文献１や図３、図４に示すような一般的な鎌や引き抜き具は、花木の周りや芝の雑草を楽な姿勢で「切る」「抜く」「集める」機能を合わせ持っていない。そこで本発明は、一本の鎌にそれらの機能を合わせ持たせ、効率良く作業を行うと同時に、作業による身体の疲労を軽減する簡単な鎌を提供する。
【課題を解決するための手段】
【０００６】
鎌板本体１の先端に平刃２と連続して複数の三角刃３を、先端に反対の角に三角刃４を設け、鎌板上部角に、長柄に取り付ける鎌板と一体の突起部分５を、それに長柄６を設ける構成とする。また、刃部分には焼き入れを施し、雑草の土中根をも切れるように堅固な物とする。
【発明の効果】
【０００７】
上述のように、本発明の立ち草刈り鎌は、庭の花木の周り、あるいは芝の間から生えてくる様々な雑草を、一本で、しかも楽な姿勢で効率よく刈り取り、そして集める事が出来る。又、刃本体の角に三角の溝を設ける事により、狭い部分の雑草の引き抜きも出来るようにした。 
【図面の簡単な説明】
【０００８】
【図１】本発明の草刈鎌の一つの実施例を示す斜視図
【図２】鎌板の平面図
【図３】一般的な草刈り鎌
【図４】一般的な草抜き具
【発明を実施するための形態】
【０００９】
立ち姿勢で、庭の花木の周りや芝の雑草の根を切ったり、抜いたり、そして集める。
また、鎌板を通常の状態で使用した時に、刈り取れない溝とかブロック塀際等の狭い    場所は、刃部角の三角溝部分で抜き取る。
【実施例】
【００１０】
以下、図１に沿って実施例を説明する。本実施例の草刈り鎌は、鎌板１と継ぎ手５、長柄６とで構成されている。
【００１１】
鎌板１は四分円形状の薄い鋼板で、刃先端に平刃２を、連続して複数の三角刃３を設ける。また刃部最後部の三角刃４は、角に、鎌板上方湾曲部に向かって斜めに三角の溝イが出来るように設けている。
【００１２】
前記鎌板の鋼板の厚さは、一般的な立ち鎌に準じるが、焼き入れを施し長期間の使用に耐え得る強固なものなっている。
【００１３】
三角刃と三角刃間の溝は、雑草の茎や葉を引っ掛けて抜く機能を持たせる為、刃は設けていない。
【００１４】
柄６は木製で、鎌板１と同一体の継ぎ手５で強固に接続している。また鎌板と柄の接続位置は刃板横上部とし、角度Aは９０度から様々な角度が考えられるが、本発明の実施例では立ち姿勢で柄を持った時に、鎌板の平面が地面に並行に接するように５５度としている。
【００１５】
本実施例の草刈り鎌を使う場合は、花木周りや芝の雑草を先ずは三角刃間の三角の溝で引き抜き、引き抜けない草は２の平刃や３の複数三角刃で、土中の根を切り三角刃と三角溝で引き抜きそして集める。また溝などの狭い場所の雑草は、刃体角の斜めの三角刃と三角溝で引き抜く。
【００１６】
以上、本発明の実施例を詳述したが、その具体的構成はこの実施例に限らず、本発明の要旨を逸脱しない範囲における設計変更等があっても本考案に含まれる。例えば、実施例では鎌板の材質について金属製の板、柄には木製を使用しているが、セラミック等の硬質な樹脂、アルミ等他の金属類でも使用可能である。また、鎌板の大きさや柄の長さ、あるいは鎌板と柄の接続位置や角度等もいろいろ可能とする。
【符号の説明】
【００１７】
１  鎌板
２  平刃
３  三角刃
４  三角刃
５  柄継ぎ手
６  長柄        
７  三角溝はイで表示
８  鎌板と柄の角度はAで表示  
【図１】
2012055175.tif 000003
【図２】
2012055175.tif 000004
【図３】
2012055175.tif 000005
【図４】
2012055175.tif 000006
(57)【要約】      （修正有）【課題】道路に照らされる太陽の日照エネルギーを有効活用すること。【解決手段】日中に太陽に照らされる道路は夏期に６０℃前後の高温になる。それに対して地中５メートルを超える深度の温度は、一年を通して平均１５℃である。道路に熱電変換素子７０１を埋設させて、道路の温度と地中の温度差を利用して、熱電変換素子のゼーベック効果で発電する。なお、地下の熱循環には熱伝導性のパイプ管７０２を地中に埋設して、オイル等の流動体をパイプ管７０２に充填し、ポンプ７００等で熱電変換素子７０１と地中間で循環させて、発電を永続させる。【選択図】図１
2012055159.tif 000002
【特許請求の範囲】
【請求項１】
道路に熱電変換素子を埋設して、道路の温度と地中の温度差を利用して電気を発生させる道路。
【発明の詳細な説明】
【技術分野】
【０００１】
本発明は、道路での発電に関する。
【発明の概要】
【発明が解決しようとする課題】
【０００２】
道路は車両や歩行者が往来し、日中に長時間、太陽に照らされている。道路表面は夏期には高温になり、都市部ではヒートアイランド現象をおこす要因となっている。道路に照らされる太陽の日照エネルギーを有効活用することが必要。
【発明の効果】
【０００３】
道路で発電することができる。
【図面の簡単な説明】
【０００４】
【図１】道路の断面図である。
【先行技術文献】
【特許文献】
【０００５】
特許公開２０１０−２２６７８７  道路用熱電発電ユニットおよびシステム
【実施例】
【０００６】
本発明は、国内の道路敷設に関する。道路で発電した電気を、道路標示や道路標識の電源に流用したりできる。道路に蓄電池を埋設することで、充電することも可能である。
【符号の説明】
【０００７】
５００  アスファルト層
５０１  砂利、小石層
５０２  土砂
７００  ポンプ
７０１  熱電変換素子
７０２  熱伝導パイプ管
７０３  電極および電源ケーブル
【図１】
2012055159.tif 000003
(57)【要約】【課題】本発明は、果樹栽培において、果樹をインテリアとして楽しみながら果実の害虫防止ができる、果実カプセルを提供する。【解決手段】本発明の果実カプセルは、透湿防水や結露防止機能を持つプラスチック等の素材で形成され、スリット８を介して枝通し穴７に枝３を通し、水抜き穴６を備えたカプセル容器で、果実４と周囲の枝３を共に包み込むことにより、果実４の害虫を防止する。また、形状等好みのカプセルを使用することで果樹をインテリアに変え、さらに、透明度の高い材質を使用することで果実の成長する姿を鑑賞しながら、果樹栽培を楽しむことができる。【選択図】図１
2012055298.tif 000002
【特許請求の範囲】
【請求項１】
透湿防水や結露防止機能を備えたプラスチック等の素材で形成された複数の部材で、果実４と周囲の枝３の一部分を共に包み込むとともに、スリット８と枝通し穴７および、水抜き穴６を有し、カプセル化されることを特徴とする果実カプセル。
【発明の詳細な説明】
【技術分野】
【０００１】  本発明は、果樹栽培で使用する果実袋に代わる、果実カプセルに関するものである。
【背景技術】
【０００２】  果樹栽培で果実がある程度の大きさになると、果実を病害虫から守るために果実に袋を掛けるが、一般の果実袋では、果実を害虫から守ることは難しく、農薬を使用している。また、果実の成長する姿を鑑賞できず、果樹のイメージも単調である。
【先行技術文献】
【特許文献】
【０００３】
【特許文献１】  特開２０１０−２９０８５
【特許文献２】  特開平７−２６４９４０
【発明の概要】
【発明が解決しようとする課題】
【０００４】  一般の果実袋を使用した場合、果実と果実袋が密着している箇所では果実袋の外側からカメムシなどの害虫が口針を果実に差し込んで吸汁するなどの被害を受けやすい。果実袋を二重袋にする方法（例えば特開２０１０−２９０８５）では、袋の中に農薬を使用している場合もある。また、果実袋は掛け直す度に品質が劣化する可能性がある。果実のみをカプセルで包む方法（例えば特開平７−２６４９４０）では、果樹によってはチョッキリゾウムシ等の害虫が果梗を切り落とす恐れがある。農薬を極力使用せず解決し、果実を害虫から守ることが課題である。さらに、果実カプセルを使用することにより果樹のイメージアップを図る。
【課題を解決するための手段】
【０００５】  本発明は、果実周囲の枝を通すためのスリットと枝通し穴および水抜き穴を備えたカプセル容器で、果実と周囲の枝の部分を包み込む状態にすることで問題点を解決している。本発明の果実カプセルは、カメムシ等の直接攻撃に耐えられ、かつ、果実周囲の枝を通すための加工がし易い厚さ約０．２ｍｍの透湿防水、結露防止機能を備えたプラスチック等の素材で形成される。さらに、透明度の高い素材を使用すれば、果実の生育状態も監視でき、鑑賞にも良い。
【発明の効果】
【０００６】  防虫効果は絶大である。さらに好みの形状等の果実カプセルを使用することで、果樹がインテリアになるような効果もあり、果樹栽培の楽しみが増す効果が期待できる。
【図面の簡単な説明】
【０００７】
【図１】本発明の果実カプセルたまご型の実施形態を示す図である。
【図２】本発明の果実カプセルシャトル型の実施形態を示す図である。
【発明を実施するための形態】
【０００８】  果実カプセルは、果実と周囲の枝の一部を共に包む容器であり、枝を通す部分は鋏などで加工が容易な硬さであり、加工や取り付けは一人で可能であるが、枝の込み具合によっては、枝を通す為の加工や取り付けに時間がかかる場合があるため、主として家庭菜園などの小規模の果樹栽培で、農薬を極力使用したくない場合や、虫除けネットを使用しない場合、果樹をインテリアとして生かしたい場合などに適している。加工に関しては、個人差はあるが、専用の冶具を用いて短時間の教育でかなりの効果がある。果実カプセルは予測される収穫時の果実の大きさより十分大きいものを使用する。さらに、果実カプセルは材質をプラスチックにすればリサイクル可能であり、透明度の高い材質を使用することにより、果実の生育状況の監視ができ、鑑賞にも良くなり、インテリアとしての効果が増す。
【０００９】  以下、添付図面に従って、一実施形態を説明する。図１において、果実カプセルは透湿防水や結露防止機能を備えたプラスチック等適宣素材にて形成され、枝３を通すためのスリット８と枝通し穴７を備えた前部１に、水抜き穴６を備えた後部２を接続したものである。接続については、アクリル粘着テープを使用すれば後で剥がせる。その他の方法はネジ式で止めても良い。接続についてはさらに、果実４が成熟して果実カプセル内に落下する場合も考慮して強いほうが良いが、果実の状態を点検する場合も考慮して脱着し易い構造にしておく。
【００１０】  本発明の構造は前述のとおりであるが、次に、前部１の加工及び枝３への取り付け方について説明する。果実４を前部１と後部２で仮に挟み、かつ果実４の中心がカプセルの前部１の中心と後部２の中心を結ぶ線上に位置するようにして、前部１に通す枝３の位置を見定め、枝３の数だけスリット８と枝通し穴７をセットにして加工する。加工後の前部１を枝３と果実４の接点側から果実４の方向へスリット８を少し広げてかぶせるようにそれぞれの枝３に挟み込む。次に後部２を前部１に接続する。果実カプセルと樹木に隙間があれば、防水用シーリング剤、防水テープ等で塞いでおく。果実カプセルの水抜き穴は、必要であれば、カプセル全体の向きにより雨水等が溜まると思われる所に適当な大きさの穴を開けておく。穴が大きい場合は防虫用の目の細かい網を張る。
【産業上の利用可能性】
【００１１】  果実カプセルは枝を通すための加工が必要なため、果実栽培を楽しむ家庭菜園などに向いている。家庭菜園では農薬を極力使用せず果実栽培でき、形状等好みの果実カプセルを利用すればインテリアとしての楽しみも増し家庭菜園の需要を増やす可能性も考えられる。さらに、夜はイルミネーションと共に使用することにより、インテリアとしての効果は倍増する。
果実カプセルはプラスチックの薄い板を使って自作も可能で小中学校の課外授業のテーマとしても利用できる。その際、プラスチックの切りくずができるがこれはリサイクルできる。
【符号の説明】
【００１２】  １．前部
２．後部
３．枝
４．果実
５．収穫時果実
６．水抜き穴
７．枝通し穴
８．スリット
【図１】
2012055298.tif 000003
【図２】
2012055298.tif 000004
(57)【要約】【課題】  根を抜くためにスプリングとおもりを組み合わせて根を抜くことを提供する。【解決手段】  芯棒の一端にとがり金具を設け、また、その一端に受け金具を設ける。その次に、スプリングとおもりが各々スライドできるようにして、おもり大１０  を受け金具の方向にスライドさすと次々と力が加わり、最後にとがり金具に伝わるように構成した。【選択図】図１
2012055299.tif 000002
【特許請求の範囲】
【請求項１】
芯棒２  の先に、とがり金具３  を設けた。また、そのとがり金具３  とつなぐ接続金具４  、その次に受け金具６  は芯棒に固定、次はスプリング７  、おもり小８、おもり中９、おもり大１０  と取っ手１１はくっついている。スプリング７  、おもり類は芯棒２  に対してスライドする。最後に止め金具１２  は芯棒２に固定、機能を持ったことを特徴とした根抜き具。
【請求項２】
接続金具４  のところののこぎり金具３  に付け替えができることを特徴とした。請求項１の根抜き金具。
【発明の詳細な説明】
【技術分野】
【０００１】  この発明は、根を根本から抜く道具に関するものである。
【背景技術】
【０００２】  従来は、特に狭いところ、また、コンクリートの間からの雑草を根から抜き取るのは困難だった。また、労力がいった。【０００３】  これは次のような欠点があった。従来の道具を使用してもなかなか根本まで取れずに済ますことが多かった。本発明は、以上のような欠点をなくすためになされたものである。
【課題を解決するための手段】
【０００４】  そこで本発明は、芯棒２  の一端にとがり金具３  を設け、そして、その芯棒２に受け金具６  を設け、スプリング７  、おもり小８  、おもり中９  を設けた。そうして、もう一つのおもり大１０  をスライドさせて、とがり金具２  に力を加えることを目的とした根抜き具である。
【発明の効果】
【０００５】  本発明は、固く張った根、また、コンクリートの中の根でも簡単に取り除くことができる。
【０００６】    以下、本発明の実施の形として図１  に基づいて説明する。
【実施例】  図１  において、１  は本体、まずとがり金具３  を根本に当てる。そして、おもり大１０  と取っ手１１  はくっついている。その取っ手１１  をスライドさせておもり中９  に当てる。おもり小８  と、またスプリング７  、そして受け金具６  、最後にとがり金具３  、また、場所によれば接続金具のところで、のこぎり金具に付け替えができる。
以下、上記の動作を説明する。おもり大１０  と取っ手１１  をスライドさすことで、加えた力がおもり中９  に伝わり、おもり小８  と、またスプリング７  に力を受け、そして、受け金具５  と、最後にとがり金具３  に伝わる。加える力を大から中、小とだんだん軽くした。だから小さな力で効果が得られるのである。
【図面の簡単な説明】
【０００７】
【図１】本発明の斜視図
【符号の説明】
【０００８】  １  本体                      ８  おもり小
２  芯棒                      ９  おもり中
３  とがり金具              １０  おもり大
４  のこぎり金具            １１  取っ手
５  接続金具                １２  止め金具
６  受け金具
７  スプリング
【図１】
2012055299.tif 000003
【手続補正書】
【提出日】平成22年10月25日(2010.10.25)
【手続補正２】
【補正対象書類名】特許請求の範囲
【補正対象項目名】全文
【補正方法】変更
【補正の内容】
【特許請求の範囲】
【請求項１】
芯棒２  の先に、とがり金具３  を設け、また、そのとがり金具３  とつなぐ接続金具４  、その次に受け金具６  は芯棒に固定、次はスプリング７  、おもり小８、おもり中９、おもり大１０  と取っ手１１はくっついており、スプリング７  、おもり類は芯棒２  に対してスライドし、最後に止め金具１２  は芯棒２に固定する機能を持ったことを特徴とした根抜き金具。
【請求項２】
接続金具４は、のこぎり金具３  に付け替えができることを特徴とした請求項１記載の根抜き金具。
【手続補正３】
【補正対象書類名】明細書
【補正対象項目名】全文
【補正方法】変更
【補正の内容】
【発明の詳細な説明】
【技術分野】
【０００１】
この発明は、根を根元から抜く道具に関するものである。
【背景技術】
【０００２】
従来は、特に狭いところ、また、コンクリートの間からの雑草を根から抜き取るのは困難だった。また、労力がいった。
【先行技術文献】
【特許文献】
【０００３】
【特許文献１】特開２０１０−５７４３６
【０００４】
これは次のような欠点があった。従来の道具を使用してもなかなか根元までとれずに済ますことが多かった。本発明は、以上のような欠点をなくすためになされたものである。
【発明の概要】
【課題を解決するための手段】
【０００５】
そこで本発明は、芯棒２  の一端にとがり金具３  を設け、そして、その芯棒２に受け金具６  を設け、スプリング７  、おもり小８  、おもり中９  を設けた。
そうして、もう一つのおもり大１０  をスライドさせて、とがり金具２  に力を加えることを目的とした根抜き金具である。
【発明の効果】
【０００６】
本発明は、固く張った根、また、コンクリートの中の根でも簡単に取り除くことができる。
【実施例】
【０００７】
以下、本発明の実施の形として図１  に基づいて説明する。
図１  において、１  は本体、まずとがり金具３  を根本に当てる。そして、おもり大１０  と取っ手１１  はくっついている。その取っ手１１  をスライドさせておもり中９  に当てる。おもり小８  と、またスプリング７  、そして受け金具６  、最後にとがり金具３  、また、場所によれば接続金具のところで、のこぎり金具に付け替えができる。
以下、上記の動作を説明する。おもり大１０  と取っ手１１  をスライドさすことで、加えた力がおもり中９  に伝わり、おもり小８  とまたスプリング７  に力を受けそして、受け金具５  と、最後にとがり金具３  に伝わる。加える力を大から中、小とだんだん軽くした。だから小さな力で効果が得られるのである。
【図面の簡単な説明】
【０００８】
【図１】本発明の斜視図
【符号の説明】
【０００９】
１  本体      
２  芯棒      
３  とがり金具  
４  のこぎり金具  
５  接続金具
６  受け金具
７  スプリング
８    おもり小
９    おもり中
１０  おもり大
１１  取っ手
１２  止め金具
(57)【要約】【課題】  カルガモの親子の歩く姿がとてもかわいいので、カルガモの親のそばにカルガモの子を付き添わせたカルガモ親子サブレーを提供する。【解決手段】  カルガモの親（１）のそばにカルガモの子（２）を付き添わせたカルガモ親子サブレーを特徴とする。【選択図】図１
2012055297.tif 000002
【特許請求の範囲】
【請求項１】
カルガモの親（１）のそばにカルガモの子（２）を付き添わせたカルガモ親子サブレーである。
【発明の詳細な説明】
【技術分野】
【０００１】  この発明は、カルガモの親子の歩く姿がとてもかわいいので、洋菓子風サブレーにしたカルガモ親子サブレーに関するものである。
【背景技術】
【０００２】  従来、洋菓子風サブレーには鳩サブレーなどのサブレーはあったが、カルガモ親子の対のものなどはなかった。
【発明の概要】
【発明が解決しようとする課題】
【０００３】  従来の鳩サブレーなどには、一羽の鳩でしか形にはなく、趣もなく物足りなさがあった。本発明は、このような物足りなさをなくすためになされたものである。
【課題を解決するための手段】
【０００４】  カルガモの親（１）のそばにカルガモの子（２）を付き添わせたものである。
本発明は、以上の構成よりなるカルガモ親子サブレーである。
【発明の効果】
【０００５】  カルガモ親子サブレーは、見た目にも親子の愛情が感じられ、子供から大人まで楽しめるお菓子として喜ばれ、一風違った趣のあるものとして味わえる。
【図面の簡単な説明】
【０００６】
【図１】本発明の平面図である。
【発明を実施するための形態】
【０００７】  以下、本発明を実施するための形態について説明する。
カルガモ親子サブレーは、カルガモの親のそばにカルガモの子を付き添わせたものである。
本発明は、以上のような構造である。
これを使用するときは、見た目を楽しみながら、一風違った趣のあるお菓子として、食べられる。
【符号の説明】
【０００８】１  カルガモの親
２  カルガモの子
【図１】
2012055297.tif 000003
【手続補正書】
【提出日】平成22年10月14日(2010.10.14)
【手続補正１】
【補正対象書類名】明細書
【補正対象項目名】０００６
【補正方法】変更
【補正の内容】
【０００６】本発明の正面図である。
(57)【要約】【課題】  体の歪みを日常生活に欠かせない歩行を通じて、重心がまっすぐに保たれた、姿勢の良い正しい歩行を身に付け、歪んだ体を矯正し、美容や健康に役立てたい。【解決手段】  靴裏部分を図１のような形状にすることにより歩行の際、バランスをとるため足裏が路面と垂直になり、体の重心がまっすぐ保たれることにより、姿勢の良い正しい歩行が身に付き、健康障害・首や肩のコリ・頭痛・腰痛・足のしびれ・下半身のむくみ・O脚・内股・猫背・視力の低下などの症状を改善し、ダイエット効果にも繋がる。【選択図】図１
2012055433.tif 000002
【特許請求の範囲】
【請求項１】
本発明は、靴裏部分に凸凹を付け図１のような形状を特徴とする。
【請求項２】
本発明は、歩行することで体のバランスをとり、バランスをとることにより体の重心がまっすぐに保たれ、姿勢の良い正しい歩行が身に付く。
【請求項３】
姿勢の良い正しい歩行をすることで歪んだ体を矯正し、健康障害・首や肩のコリ・頭痛・腰痛・足のしびれ・下半身のむくみ・O脚・内股・猫背・視力の低下などを改善に役立ち、ダイエット効果にも繋がる。
【請求項４】
形状部分に、複数の溝を刻むことにより、滑り止めの効果がある。
【発明の詳細な説明】
【技術分野】
【０００１】
本発明はシューズ・靴・スリッパ・サンダルなどの履物の靴裏部分の形状を改良することで、正しい歩行の矯正ができ、美容や健康につながるものである。
【背景技術】
【０００２】
従来の靴裏は、三角形や丸みを付けたり、T型にすることで、バランスの強化やダイエット効果を特徴としていた。
【先行技術文献】
【特許文献】
【０００３】
【特許文献１】特開２００６−０５５６００号公報
【特許文献２】特開平１１−２８５４０１号公報
【発明の概要】
【発明が解決しようとする課題】
【０００４】
しかしながら以上の技術によれば、高齢者や肥満の方には、あまりにもバランスを取るのが困難であり、バランスを崩して捻挫や転倒をするのではないかと心配であった。
そこで、靴裏に工夫をこなし、姿勢の良い健康な歩行を通じてO脚・内股・猫背など体の歪みによる症状を矯正改善することを課題とする。
【課題を解決するための手段】
【０００５】
以上の課題を解決するため、本発明は足裏部分を図１のような形状を特徴とし、路面との接地面積を大きくし、安定感を増した。
またその形状を横断するように溝を数本刻んだ。
【発明の効果】
【０００６】
足裏部分を図１のような形状にすることにより、バランスを崩しても、つま先部分は路面との接地面積を大きくしているので、安定が保てる。
それにより、バランスを崩して捻挫や転倒など大ケガをしないよう、安全面の配慮をした。
また溝が入っているため、路面との摩擦力が高まり滑り止めになる。
【図面の簡単な説明】
【０００７】
【図１】履物の靴裏全体立体図である。
【図２】この発明の実施形態を示す図である。
【図３】履物後部の拡大図である。
【発明を実施するための形態】
【０００８】
一般的な履物は人間の足裏を模った外形で平面状に作られていて、路面との接地箇所が足裏全体となっている。すなわち踏み下ろした時足裏のどの箇所がはじめに地面と接触しているか気づかない。
靴底がきちんと路面と垂直に接地していればいいが、靴底の内側だけが減ったり、外側だけが減ったり、片足だけが減ったりするのは、体の重心が傾いている証拠である。
体の重心が傾いているということは、背骨を通じ体が歪んでいるといえる。
その体の歪みにより、健康障害・首や肩のコリ・頭痛・腰痛・足のしびれ・下半身のむくみ・O脚・内股・猫背・視力の低下などの原因になる。
【０００９】
本発明は、歩行を通じ体の歪み矯正する。正しい歩行を見に付けるため、図２よりA接地箇所の斜線部分で路面と垂直に足を着地させバランスをとることにより、体の重心がまっすぐに保たれる。
その後、B接地箇所の斜線部分に重心が移動し、つま先で安定を取り直し一連の歩行の動作をする。そうすることにより、体の重心がまっすぐに保たれた姿勢の良い歩行が可能になり、体の歪みを矯正する。
矯正さえすれば、普段の生活でも正しい歩行が身に付き、健康障害・首や肩のコリ・頭痛・腰痛・足のしびれ・下半身のむくみ・O脚・内股・猫背・視力の低下などの症状も改善され、ダイエット効果にも繋がる。
「実施形態の効果」
意識的にバランスをとるため足裏が地面と垂直になり、体の重心がまっすぐ保たれ、姿勢の良い状態で歩行ができた。
良い姿勢を保つことで、足がよく上がり普段の生活でつまずかなくなった。
血行がよくなり、ダイエット効果にも繋がった。
【図１】
2012055433.tif 000003
【図２】
2012055433.tif 000004
【図３】
2012055433.tif 000005
(57)【要約】      （修正有）【課題】患者は周囲が見え、術者も患者の顔が見ながら治療できる歯科用顔面保護カバーを提供する。【解決手段】四角い布１の上方に口の大きさ大の穴２を開け、その上端に透明のシート３を付けた歯科用顔面保護カバー。【選択図】図２
2012055669.tif 000002
【特許請求の範囲】
【請求項１】
四角い布（１）の上方に口の大きさ大の穴（２）を開け、その上端に防水性の透明のシート（３）を付けた歯科用顔面保護カバー
【発明の詳細な説明】
【技術分野】
【０００１】本発明は、患者が周囲を見ることができ、また、術者も患者の顔を見ることができる歯科用顔面保護カバーに関するものである。
【背景技術】
【０００２】  歯科の治療中に飛散する粉塵や水飛沫から患者の顔を保護するためにタオルをかけていたが、患者は目隠しの状態になるため不安を訴える人もいた。
また、術者は患者の痛い時や気分が悪い時などの表情の変化が見えないので、対応が遅れることもあった。
【先行技術文献】
【０００３】
【特許文献１】特許公開２００７−２１５８４９号公報
【特許文献２】登録実用新案第３１４１０８２号公報
【特許文献３】登録実用新案第３１１０９６４号公報
【発明の概要】
【発明が解決しようとする課題】
【０００４】  しかしながら、上記特許文献１にあたっては、患者は周囲が見え、術者も患者の顔が見えるが、目の保護をすることができないので、目が傷つく恐れがある。
また、特許文献２、及び特許文献３は、患者が周囲が見えるが、はっきりと見ることができないので、不安を感じる場合もある。
さらに、術者は患者の顔がほとんど見えないので、表情の変化が分からない。
そして、特許文献２のスリット構造、特許文献３のメッシュ構造は共に水を通してしまうので、目に水が入る。
【課題を解決するための手段】
【０００５】  本発明は四角い布（１）の上方に口の大きさ大の穴（２）を開け、その上端に防水性のある透明のシート（３）を付けた歯科用顔面保護カバーである。
【発明の効果】
【０００６】  本発明は、患者の顔面を治療中の水飛沫や粉塵から、患者は周囲が見え、術者も患者の顔が見える状態で保護できる。
【図面の簡単な説明】
【０００７】
【図１】本発明の平面図である。
【図２】本発明の使用状況を示す平面図である。
【図３】本発明の他の使用状況を示す平面図である。
【発明を実施するための形態】
【０００８】  以下、図面に示す実施の形態について説明する。
人の顔面全体をを覆うことができるぐらいの大きさの四角い布（１）の上方に開いた口の大きさ大の穴（２）を開け、その上端に防水性のビニールなどの透明のシート（３）を付ける。図１参照
【０００９】  この歯科用顔面保護カバーを使用する時は、調度口のところに穴（２）がきて、透明のシート部分（３）が目の位置にくるように患者の顔（４）の上にかける。
この時、治療中に飛び散る水飛沫や粉塵から顔面は保護され、目の周囲は透明のシート（３）なので、患者は周囲が見えるので安心できる。また、術者も患者の痛みなどによる顔の変化が分かるので、すぐに対応できる。図２参照
【００１０】また、中には見えないほうが怖くないという患者もいるが、その場合は透明のシート（３）を下にして上下を逆にすることで対応できる。図３参照
【符号の説明】
【００１１】１  布
２  穴
３  透明のシート
４  顔
【図１】
2012055669.tif 000003
【図２】
2012055669.tif 000004
【図３】
2012055669.tif 000005
(57)【要約】      （修正有）【課題】治療中にコットンロールの誤飲を防ぐ器具を提供する。【解決手段】針金を曲げて中央部にリング１を作り、リング１の反対側に向けてコの字に曲げ、さらに、両端２を内側に向けて直角に曲げたコットンロール３誤飲防止器具。【選択図】図２
2012055670.tif 000002
【特許請求の範囲】
【請求項１】
針金を曲げて中央部にリング（１）を作り、リング（１）の反対側に向けてコの字に曲げ、さらに、両端（２）を内側に向けて直角に曲げたコットンロール誤飲防止器具。
【発明の詳細な説明】
【技術分野】
【０００１】  本発明は、歯科の治療中にコットンロールの誤飲を防ぐために考案されたものである。
【背景技術】
【０００２】  従来は、コットンロールの誤飲を防ぐための器具はなかった。
【発明の概要】
【発明が解決しようとする課題】
【０００３】  歯科の治療に頻繁に使用されるロール状に巻いた綿であるコットンロールは、時として治療中に所定の位置から外れ、誤って患者が飲み込んでしまうこともあった。
【課題を解決するための手段】
【０００４】  本発明は、針金を曲げて中央にリング（１）を作り、コの字型に曲げ、両端（２）を内側に曲げたコットンロール誤飲防止器具である。
【発明の効果】
【０００５】  本発明は、治療中のコットンロールを誤飲を防ぐことができる。
【図面の簡単な説明】
【０００６】
【図１】本発明の平面図である。
【図２】本発明の使用状況を示す斜視図である。
【発明を実施するための形態】
【０００７】  弾力性のある針金を曲げて中央部にリング（１）を作り、リングの反対側に向けてコの字に曲げる。さらに、両端（２）を内側に向けて直角に曲げる。
【０００８】  このコットンロール誤飲防止器具を使用するさいは、まずリング状の部分（１）に糸（４）を通し引っ張っても外れないようにしっかりと結ぶ、次に針金の先端（２）をコットンロール（３）の両側に外れないようにしっかりと差し込む。使用中は糸（４）を口の外に出しておき、コットンロール（３）が所定の位置から外れた時は、糸を持って、すぐに口の外に出す。
【符号の説明】
【０００９】  １  リング
２  先端
３  コットンロール
４  糸
【図１】
2012055670.tif 000003
【図２】
2012055670.tif 000004
(57)【要約】【課題】頭皮の汗・皮脂などの洗浄においては、頭部全体を水洗い又は洗浄液に浸すため、場所と時間に制限され、外出時や要介護者への簡易な洗浄が困難であった。  本発明は、簡易な頭皮洗浄器具を提供する。【解決手段】筒状の挟み具に小穴を設け、小穴に綿棒を挿入し、挟み具を圧縮し固定することにより綿棒での頭皮の洗浄を可能にした。【選択図】図３
2012055663.tif 000002
【特許請求の範囲】
挟み具に複数の小穴を設け、前記複数の小穴に綿棒等を挿入後、固定具で前記綿棒を固定することを特徴とする簡易頭皮洗浄器具
【発明の詳細な説明】
【技術分野】
【０００１】  本発明は、頭皮の汗・皮脂などの簡易頭皮洗浄器具に関するものである。
【背景技術】
【０００２】  従来、頭皮の洗浄は頭部全体に対して水洗いやタオルなどにより洗浄していた。
【発明の概要】
【発明が解決しようとする課題】
【０００３】  頭皮の汗・皮脂などの洗浄においては、頭部全体を水洗い又は洗浄液に浸すため、場所と時間に制限され、外出時や要介護者への簡易な洗浄が困難であった。
本発明は、以上の問題点を解決するためになされたものである。
【課題を解決するための手段】
【０００４】  筒状の挟み具に小穴を設け、小穴に綿棒を挿入し、片端部を固定する。
【発明の効果】
【０００５】  従来困難とされていた頭髪を濡らさない簡易な頭皮の洗浄を、本発明により可能にし、場所を選ばす頭皮の洗浄や育毛剤の湿布などの作業が可能となる。また、小穴に綿棒を挿入するだけなので装着が容易である。
【図面の簡単な説明】
【０００６】
【図１】本発明の斜視図
【図２】本発明の使用状態を示す斜視図（固定時）
【図３】本発明の使用状態を示す斜視図（使用時）
【発明を実施するための形態】
【０００７】  以下に本発明の実施の形態を図面に基づいて説明すると、ある程度柔軟な素材を用いて、円柱状の挟み具１を形成し、この挟み具１には綿棒等を差し通す複数の小穴２を貫通状に設ける。
【０００８】  小穴２に綿棒３を挿入し、挟み具１の適宜な位置にて固定材４で締め付けるように圧縮し、綿棒３を固定する。
【０００９】  本発明は、以上のような構造であることから、これを使用するときは、綿棒３を固定した挟み具１を握り、突出した綿棒３の先端にて頭部に使用する。綿棒３は、両側使用することができるため、片側を使用後は、固定材４を外し、綿棒３を押し出し、挟み具１を反転させ、再度固定材４で適宜な位置で圧縮することにより綿棒の両側を使用することが可能である。
【符号の説明】  １  挟み具
２  小穴
３  綿棒
４  固定材
【図１】
2012055663.tif 000003
【図２】
2012055663.tif 000004
【図３】
2012055663.tif 000005